(57)【要約】【課題】  集雪作業が容易で、且つ敷地の有効利用を実現する雪冷房家屋を提供する。【解決手段】  少なくとも二方向が建物で囲まれた中庭部３を備え、且つ囲繞建物４の屋根４１が中庭部側に傾斜し、前記中庭部に、穴周壁１１が断熱構造で、底面が砕石１２敷きとした適宜深さの貯雪庫１を設けると共に、上面部を透孔板部（鉄骨梁とグレーチング）と断熱板部（断熱パネルと防水シートとスノコ）とで閉塞し、外気を前記貯雪庫内に設けた熱交換部５１を通して建物内居室４２に供給する冷房装置５を備えた。【選択図】  図１
2006226641.tif 000002
【特許請求の範囲】
【請求項１】
少なくとも二方向が建物で囲まれた中庭部を備え、且つ囲繞建物の屋根が中庭部側に傾斜し、前記中庭部に、穴周壁が断熱構造で、底面が砕石敷きとした適宜深さの貯雪庫を設けると共に、上面部を透孔板部と断熱板部とで閉塞し、外気を前記貯雪庫内に設けた熱交換部を通して建物内居室に供給する冷房装置を備えたことを特徴とする雪冷房家屋。
【請求項２】
中庭部が、約北側を開口し他の三方向を建物で囲まれた範囲に形成され、透孔板部を適宜間隔で設けた鉄骨梁とグレーチングで構成し、断熱板部を断熱パネルと防水シートで構成し、前記中庭部の閉塞箇所の周囲に、閉塞面上の雨水を排出する排水樋を設けてなる請求項１記載の雪冷房家屋。
【発明の詳細な説明】
【技術分野】
【０００１】
本発明は、雪の冷熱を利用して夏期に冷房を行う家屋に関するものである。
【背景技術】
【０００２】
冬季間の積雪を貯蔵し、夏期に貯蔵雪の冷熱を利用して家屋の冷房を実施することは従前より広く知られている。この降雪の貯蔵手段としては、屋外に設置した断熱構造の貯蔵槽を採用して、貯蔵槽底部の冷却水（融雪水）をポンプ循環させたり（特許文献1）、冷却空気を循環させる（特許文献２）手段が知られている。
【０００３】
また貯蔵槽或いは貯水槽を家屋に近接又は地下室に設け、冷却空気や冷却水を利用して冷房する手段（特許文献３，４）も提案されている。
【０００４】
【特許文献１】特開昭５８−２０３３７６号公報。
【特許文献２】特開平７−２９３９３６号公報。
【特許文献３】特開昭５８−１１３３７号公報。
【特許文献４】特公平６−１３９３０号第５図。
【発明の開示】
【発明が解決しようとする課題】
【０００５】
ところで、雪の貯蔵場所を屋外に設けることは、積雪を貯蔵槽周囲から集め易いが、当然当該貯蔵場所と家屋との間に冷房用配管を設ける必要があり、その分建設コストを要するし、貯蔵場所は、他に利用することが考慮されていない。
【０００６】
また特許文献３記載の地下室の貯水槽は、水密性に構築する必要があり、建設コストが高い。更に地下貯水槽は、蒸発水分が建物に悪影響を与えるし、湿気が居住快適性を損なってしまう。
【０００７】
更に特許文献４記載のような建物近傍に貯蔵槽を設けた場合には、屋根積雪を投入しやすい便利さを有するが、やはりの貯蔵場所を他に利用することが全く考慮されていない。
【０００８】
そこで本発明は、貯雪作業がし易く、且つ貯雪部を一体組み込んだ新規の雪冷房家屋を提案したものである。
【課題を解決するための手段】
【０００９】
本発明に係る雪冷房家屋は、少なくとも二方向が建物で囲まれた中庭部を備え、且つ囲繞建物の屋根が中庭部側に傾斜し、前記中庭部に、穴周壁が断熱構造で、底面が砕石敷きとした適宜深さの貯雪庫を設けると共に、上面部を透孔板部と断熱板部とで閉塞し、外気を前記貯雪庫内に設けた熱交換部を通して建物内居室に供給する冷房装置を備えたことを特徴とするものである。
【００１０】
而して冬季においては、中庭部の断熱板部を除去しておくと、屋根の積雪は自然落下或いは人力等による落下で透孔板部を通して貯雪庫内に順次貯蔵され、雪貯蔵を終了すると断熱板部で貯雪庫を閉塞し、夏期において、外気を貯雪庫内通過（熱交換部の通過）で冷却し、冷気を居室に供給して冷房を実現するものである。
【００１１】
また本発明は、前記発明において、特に中庭部が約北側を開口し、他の三方向を建物で囲んで形成し、透孔板部を適宜間隔で設けた鉄骨梁とグレーチングで構成し、断熱板部を断熱パネルと防水シートで構成し、前記中庭部の閉塞箇所の周囲に、閉塞面上の雨水を排出する排水樋を設けてなるものである。
【００１２】
従って冬季間において、屋根の積雪を三方向から落下させて貯雪庫に収納し、且つグレーチング上は歩行可能であり、降雪時以外には、貯雪庫上面を防水構造とし、貯蔵雪への雨水の浸入を防止することで、雪の貯蔵効率（融雪防止効率）を高めることができる。
【発明の効果】
【００１３】
本発明は上記の構成であるから、冷房装置は、予め貯雪庫内に配置した熱交換部と、熱交換部と接続したダクト及びダクトファンを設けるだけで良く、低コストが図られ、また中庭部に貯雪庫を設けるものであるから、貯雪作業が容易で、且つ貯雪時以外には通常の中庭として使用され、敷地の有効利用が図られるものである。
【発明を実施するための最良の形態】
【００１４】
次に本発明の実施形態について説明する。実施形態に示した家屋は、豪雪地帯で採用されている基礎を高くした高床方式のものを示した。
【００１５】
貯雪庫１は、建物基礎２の構築と同時に形成するものである。即ち北側が開口した三方向に建物４の基礎２を構築する際に、建物４の中庭部分（中庭部３）となる箇所を適宜深さに掘削し、基礎２と同時に掘削箇所の穴周壁１１も同時にコンクリート打設で構築する。
【００１６】
更に貯雪庫１は、前記穴周壁１１に断熱処置（例えば発泡樹脂板製の断熱パネルを貼着する）を施し、穴底面に砕石１２を敷設してなる。
【００１７】
中庭部３は、貯雪庫１の上部開口部を閉塞して形成するもので、穴周壁１１の上部周囲に溝構造の排水部３１を前記穴周壁１１の構築と同時に形成し、更に排水部３１に差し渡す鉄骨による梁３２を設け、梁３２上にグレーチング３３を敷き、更にグレーチング３３上に断熱パネル３４、防水シート３５、スノコ３６を積層配置してなるものである。
【００１８】
建物４は、前記基礎２に構築される通常の家屋で、特に屋根４１を前記中庭部３側に傾斜させたもので、その傾斜は、降雪が総て自然に落下する角度とする。
【００１９】
更に本発明家屋には冷房装置５を装備させるもので、冷房装置５は、貯雪庫１内に熱交換部（空気迂回通路）５１を設け、熱交換部５１の一方に外気導入部５２を接続し、他方に居室４２に冷気を吹き出す冷気供給部５３を接続し、空気通路途中に送風ファン（パイプファン）を介設してなるものである。尚前記の冷房装置５は、複数のセットを採用して多数の居室に冷気を供給するようにすると、効果的な冷房を実現する。
【００２０】
而して上記の家屋は、降雪時期に中庭部３の断熱パネル３４、防水シート３５、スノコ３６を外し、グレーチング３３を露出した状態の中庭としておくもので、降雪はそのままグレーチング３３の透孔部分を介して貯雪庫１内に降り注ぐし、また屋根４１への降雪も自然落下によって、中庭部３に落下し、同様に貯雪庫１内に落雪する。更に降雪量が少ない年においては、中庭開放部分（建物４を建てていない箇所）から雪を運び込み、貯雪庫１に雪を蓄えるものである。
【００２１】
尚上記実施形態は、屋根への降雪が総て中庭部３側に落雪するようにしたものであるが、屋根の傾斜角度によっては、雪下ろしが必要となり、このような雪下ろしに際しては、特にグレーチング３３上に大量の積雪が存在する状態となるので、グレーチング３３の一部を取り除き、積雪を貯雪庫１内に落とし込む。
【００２２】
そして貯雪庫１に所定量の雪を蓄えると、グレーチング３３上に断熱パネル３４、防水シート３５、スノコ３６を積層配置して、雪を貯蔵するものである。
【００２３】
特に前記の実施形態においては、三方向に建物４を構築し、北側を開放したものであるから、中庭部３の床面は概ね日陰となり、穴周壁１１を断熱構造とし、貯雪庫１の底面を砕石敷きとしているので、地熱の影響を受けることなく、更に防水シート３５と排水部３１によって雨水の貯雪庫１への侵入も阻止しているので、長期間の貯雪を確実なものとしたものである。
【００２４】
そして冷房を必要とする夏期においては、冷房装置の送風ファンを動作させと、外気が貯雪内に位置する熱交換部５１を通過して冷却されて居室４２に供給され、居室の冷房が実現するものである。
【００２５】
また貯雪庫１内の融雪水は、砕石１２から地中に浸透していき、貯雪庫１内に融雪水が溜まるようなことがない
【００２６】
尚本発明は前記実施形態に限定されるものではなく、二方向に建物を配置した中庭にも適用できるものであり、又高床式の建物に限定されるものではない。更に屋根も片流れ傾斜屋根に限定されず、当該地方の降雪量を考慮して切妻屋根の一方の傾斜面を中庭部に面するようにしても良い。
【図面の簡単な説明】
【００２７】
【図１】本発明の実施形態の家屋の全体断面図。
【図２】同中庭部の詳細断面図。
【図３】同家屋の平面断面図。
【図４】同屋根の平面図。
【符号の説明】
【００２８】
１        貯雪庫
１１      穴周壁
１２      砕石
２        基礎
３        中庭部
３１      排水部
３２      梁
３３      グレーチング
３４      断熱パネル
３５      防水シート
３６      スノコ
４        建物
４１      屋根
４２      居室
５        冷房装置
５１      熱交換部
５２      外気導入部
５３      冷気供給部
【図１】
2006226641.tif 000003
【図２】
2006226641.tif 000004
【図３】
2006226641.tif 000005
【図４】
2006226641.tif 000006